(57)【要約】【課題】大面積の画像投影面を形成することができ、しかも、スクリーン体を直交する２枚の方向に折りたたんでコンパクト化し、容易に携帯することができる投影用スクリーンを提供する。【解決手段】２行及び４列に並んだ８枚のスクリーン片２ａ〜２ｈからなり、その一方の行の４枚のスクリーン片と他方の行の４枚のスクリーン片との間のそれぞれの境界部と、前記一方の行の中央の２枚のスクリーン片間の境界部と、前記他方の行の中央の２枚のスクリーン片の一方とそれに隣接する一方の行端のスクリーン片との間及び前記中央の２枚のスクリーン片の他方とそれに隣接する他方の行端のスクリーン片との間のそれぞれの境界部とにヒンジ部４，５が設けられ、前記一方の行の中央の２枚のスクリーン片の一方とそれに隣接する行端のスクリーン片との間及び前記中央の２枚のスクリーン片の他方とそれに隣接する行端のスクリーン片との間のそれぞれの境界部と、前記他方の行の中央の２枚のスクリーン片間の境界部とに切れ目６が設けられたスクリーン体１を備えた。【選択図】図１
2005106963.tif 000002
【特許請求の範囲】
【請求項１】
複数枚のスクリーン片からなる投影用スクリーンにおいて、
前記複数枚のスクリーン片の間のうち、予め定めたスクリーン片間は、ヒンジ部が設けられた第１の境界部、他のスクリーン片間は、その間の離間を許容する切れ目が設けられた第２の境界部からなり、
使用時に、前記複数枚のスクリーン片を面一に並べた状態に広げられ、
不使用時に、前記第１の境界部をはさんで隣り合うスクリーン片同士を折り重ね、その両面側に前記第２の境界部をはさんで隣り合う隣り合うスクリーン片を折り重ねて折りたたまれることを特徴とする投影用スクリーン。
【請求項２】
一方の面が反射面とされた長方形状または正方形状をなす実質的に同じサイズの複数枚のスクリーン片がそれぞれの反射面を同じ方向に向けて２行及び少なくとも２列に並び、且つ、２行及び２列の互いに隣り合う４枚のスクリーン片間の４つの境界部のうち、一方の行の２枚のスクリーン片と他方の行の２枚のスクリーン片との間のそれぞれの境界部と、前記一方と他方のいずれかの行の２枚のスクリーン片間の境界部とに、その境界部をはさんで隣り合うスクリーン片同士を折り重ね可能につなぐヒンジ部が設けられ、他の１つの境界部に、その境界部をはさんで隣り合うスクリーン片間の離間を許容する切れ目が設けられてなり、
使用時に、前記複数枚のスクリーン片を面一に並べた状態に展開され、
不使用時に、前記一方の行と他方の行の前記ヒンジ部を介してつながるスクリーン片同士を、それぞれの同じ面を互いに向き合わせて折り重ねるとともに、前記一方の行の複数枚のスクリーン片及び前記他方の行の複数枚のスクリーン片のうち、前記ヒンジ部を介してつながる２枚のスクリーン片同士を、前記一方の行と他方の行のスクリーン片の向き合い面とは反対面を互いに向き合わせて折り重ね、その２枚のスクリーンの一方の外面と他方の外面とに前記切れ目を介して隣り合う２枚のスクリーン片をそれぞれ折り重ねて折りたたまれるスクリーン体を備えたことを特徴とする請求項１に記載の投影用スクリーン。
【請求項３】
スクリーン体は、２行及び少なくとも３列に並んだ６枚以上のスクリーン片からなっており、その一方の行の各スクリーン片と他方の行の各スクリーン片との間のそれぞれの境界部と、前記一方の行の各スクリーン片間の複数つの境界部のうちの１枚置きの境界部と、前記他方の行の各スクリーン片間の複数つの境界部のうち、前記一方の行の前記１枚置きの境界部に対して１スクリーン片分ずれた１枚置きの境界部とにヒンジ部が設けられ、前記一方の行の他の境界部と前記他方の行の他の境界部とに切れ目が設けられていることを特徴とする請求項２に記載の投影用スクリーン。
【請求項４】
スクリーン体は、２行及び４列に並んだ８枚のスクリーン片からなっており、その一方の行の４枚のスクリーン片と他方の行の４枚のスクリーン片との間のそれぞれの境界部と、前記一方の行の中央の２枚のスクリーン片間の境界部と、前記他方の行の中央の２枚のスクリーン片の一方とそれに隣接する一方の行端のスクリーン片との間及び前記中央の２枚のスクリーン片の他方とそれに隣接する他方の行端のスクリーン片との間のそれぞれの境界部とにヒンジ部が設けられ、前記一方の行の中央の２枚のスクリーン片の一方とそれに隣接する行端のスクリーン片との間及び前記中央の２枚のスクリーン片の他方とそれに隣接する行端のスクリーン片との間のそれぞれの境界部と、前記他方の行の中央の２枚のスクリーン片間の境界部とに切れ目が設けられていることを特徴とする請求項３に記載の投影用スクリーン。
【請求項５】
スクリーン体の一方の行のスクリーン片と他方の行のスクリーン片は、それぞれの反射面を互いに向き合わせて折り重ねられることを特徴とする請求項２〜４のいずれかに記載の投影用スクリーン。
【請求項６】
スクリーン体の複数枚のスクリーン片のうち、切れ目を挟んで隣り合うスクリーン片の境界部に、前記スクリーン体の折りたたみ時に前記切れ目を挟んで隣り合うスクリーン片間の離間を許容し、前記スクリーン体を展開させたときに前記切れ目を挟んで隣り合うスクリーン片の縁部同士を密接させる切れ目サポート部材が設けられていることを特徴とする請求項２〜４のいずれかに記載の投影用スクリーン。
【請求項７】
切れ目サポート部材は、切れ目を挟んで隣り合うスクリーン片の両方の縁部に跨って設けられ、両側部を前記隣り合うスクリーン片の縁部にそれぞれ固定されてこれらのスクリーン片を連結する伸縮性シートからなっていることを特徴とする請求項６に記載の投影用スクリーン。
【請求項８】
展開されたスクリーン体の対角線長さと同程度の長さと、前記スクリーン体の１枚のスクリーン片の対角線長さ以下の長さとに調整可能なロッドからなり、展開された前記スクリーン体の反射面とは反対面側に前記スクリーン体の２つの対角線にそれぞれ沿わせて設けられ、両端を前記スクリーン体の対角位置の２つのコーナー部にそれぞれ連結されて前記スクリーン体の展開状態を保持する２本の筋交い部材をさらに備えたことを特徴とする請求項２〜４のいずれかに記載の投影用スクリーン。
【請求項９】
展開されたスクリーン体を起立状態に支えるスクリーン体支え部材をさらに備えたことを特徴とする請求項２〜４のいずれかに記載の投影用スクリーン。
【請求項１０】
スクリーン体支え部材は、スクリーン体の１枚のスクリーン片の対角線長さと同程度の長さを有し、スクリーン体載置面上に起立状態で置かれた前記スクリーン体の反射面とは反対面の中間高さ付近と、前記スクリーン体載置面との間に斜めに配置されて前記スクリーン体を前記起立状態に支えるスクリーン支え柱からなっていることを特徴とする請求項９に記載の投影用スクリーン。
【請求項１１】
スクリーン体の１枚のスクリーン片と略同じ平面形状のスクリーン体載置面を有し、前記スクリーン体載置面の一端部が、反射面を前記スクリーン体載置面の他端側とは反対方向に向けて起立された前記スクリーン体の下端を支持するスクリーン体支持部とされ、前記スクリーン体載置面の他端部に、スクリーン体支え柱の下端を支持する支え柱支持部が設けられたスクリーン体載置台をさらに備えたことを特徴とする請求項１０に記載の投影用スクリーン。
【請求項１２】
スクリーン体の起立状態における下側の各スクリーン片のうちの１枚のスクリーン片の下端がスクリーン体載置台のスクリーン体載置面の一端部に起伏回動可能に連結されており、前記スクリーン体は、折りたたみ状態で前記スクリーン体載置面上に倒伏格納されることを特徴とする請求項１１に記載の投影用スクリーン。
【請求項１３】
スクリーン体載置台は、その一端部からスクリーン体支持部の延長線方向に張り出され、前記スクリーン体支持部に支持されたスクリーン体の前記スクリーン体載置台の側方に突出する部分の下端を支持する補助載置台を格納可能に備えていることを特徴とする請求項１１に記載の投影用スクリーン。
【請求項１４】
スクリーン体載置台は、内部にその対角線方向に沿わせてスクリーン支え柱を収容可能な携帯鞄からなっていることを特徴とする請求項１１に記載の投影用スクリーン。
【発明の詳細な説明】
【技術分野】
【０００１】
この発明は、投影用スクリーンに関する。
【背景技術】
【０００２】
プロジェクタ等の投影装置による画像投影に用いられる投影用スクリーンには、一枚パネル型のものと巻取り型のものとがあるが、一枚パネル型スクリーンは大型で、携帯には適さず、また、巻取り型スクリーンも、巻取り状態での長さがスクリーンの一辺の長さ以上であるため、携帯性が良いとは言えない。
【０００３】
そのため、従来から、一方の面が反射面とされた長方形状または正方形状をなす実質的に同じサイズの複数枚のスクリーン片からなるスクリーン体を備えた分割型スクリーンが提案されている。
【０００４】
この分割型スクリーンには、前記反射面とは反対面に磁石を設けた複数枚のスクリーン片からなり、使用時に、前記複数枚のクリーン片を面一に並べて磁性板面に吸着されて前記複数枚のクリーン片の反射面が並んだ画像投影面を形成するスクリーン体を備えたものと、ヒンジ部を介して折り重ね可能に連結された２枚のスクリーン片からなり、使用時に、前記２枚のスクリーン片を面一に並べた状態に展開されて前記２枚のクリーン片の反射面が並んだ画像投影面を形成するスクリーン体とを備えたものとがあり、いずれの分割型スクリーンも、不使用時に、前記複数枚のスクリーン片を積み重ねるか、あるいは前記２枚のスクリーン体を折り重ねた状態に折りたたむことができるため、携帯に便利である。（特許文献１参照）
【特許文献１】特開平７―３０６４７５号公報
【発明の開示】
【発明が解決しようとする課題】
【０００５】
しかし、磁石を設けた複数枚のスクリーン片を並べて磁性板面に吸着されて画像投影面を形成する分割型スクリーンは、ホワイトボード等を前記複数枚のスクリーン片を吸着させる磁性板として利用しなければならないため、使用条件に制約がある。
【０００６】
一方、ヒンジ部を介して連結した２枚のスクリーン片を展開されて画像投影面を形成する分割型スクリーンは、展開されたスクリーン体を、その脚部材に起立状態で支持させるか、あるいは壁面に掛けたり吊下げたりして使用することができるため、使用条件の制約はほとんど無い。
【０００７】
しかしながら、この分割型スクリーンは、前記２枚のスクリーン片を展開させて形成される画像投影面の面積が１枚のスクリーン片の面積の２倍しかないため、大面積の画像投影面を形成するには、前記２枚のスクリーン片の面積を大きくするか、あるいは、複数枚の分割型スクリーンを並べて使用しなければならない。
【０００８】
この発明は、大面積の画像投影面を形成することができ、しかも、コンパクトに折りたたんで容易に携帯することができる投影用スクリーンを提供することを目的としたものである。
【課題を解決するための手段】
【０００９】
この発明は、複数枚のスクリーン片からなる投影用スクリーンにおいて、前記複数枚のスクリーン片の間のうち、予め定めたスクリーン片間は、ヒンジ部が設けられた第１の境界部、他のスクリーン片間は、その間の離間を許容する切れ目が設けられた第２の境界部からなり、使用時に、前記複数枚のスクリーン片を面一に並べた状態に広げられ、不使用時に、前記第１の境界部をはさんで隣り合うスクリーン片同士を折り重ね、その両面側に前記第２の境界部をはさんで隣り合う隣り合うスクリーン片を折り重ねて折りたたまれることを特徴とする。
【００１０】
この発明の投影用スクリーンは、一方の面が反射面とされた長方形状または正方形状をなす実質的に同じサイズの複数枚のスクリーン片がそれぞれの反射面を同じ方向に向けて２行及び少なくとも２列に並び、且つ、２行及び２列の互いに隣り合う４枚のスクリーン片間の４つの境界部のうち、一方の行の２枚のスクリーン片と他方の行の２枚のスクリーン片との間のそれぞれの境界部と、前記一方と他方のいずれかの行の２枚のスクリーン片間の境界部とに、その境界部をはさんで隣り合うスクリーン片同士を折り重ね可能につなぐヒンジ部が設けられ、他の１つの境界部に、その境界部をはさんで隣り合うスクリーン片間の離間を許容する切れ目が設けられてなり、使用時に、前記複数枚のスクリーン片を面一に並べた状態に展開され、不使用時に、前記一方の行と他方の行の前記ヒンジ部を介してつながるスクリーン片同士を、それぞれの同じ面を互いに向き合わせて折り重ねるとともに、前記一方の行の複数枚のスクリーン片及び前記他方の行の複数枚のスクリーン片のうち、前記ヒンジ部を介してつながる２枚のスクリーン片同士を、前記一方の行と他方の行のスクリーン片の向き合い面とは反対面を互いに向き合わせて折り重ね、その２枚のスクリーンの一方の外面と他方の外面とに前記切れ目を介して隣り合う２枚のスクリーン片をそれぞれ折り重ねて折りたたまれるスクリーン体を備えているのが望ましい。
【００１１】
この投影用スクリーンにおいて、前記スクリーン体は、２行及び少なくとも３列に並んだ６枚以上のスクリーン片からなっており、その一方の行の各スクリーン片と他方の行の各スクリーン片との間のそれぞれの境界部と、前記一方の行の各スクリーン片間の複数つの境界部のうちの１枚置きの境界部と、前記他方の行の各スクリーン片間の複数つの境界部のうち、前記一方の行の前記１枚置きの境界部に対して１スクリーン片分ずれた１枚置きの境界部とにヒンジ部が設けられ、前記一方の行の他の境界部と前記他方の行の他の境界部とに切れ目が設けられているのが望ましい。
【００１２】
前記スクリーン体は、例えば、２行及び４列に並んだ８枚のスクリーン片からなっており、その一方の行の４枚のスクリーン片と他方の行の４枚のスクリーン片との間のそれぞれの境界部と、前記一方の行の中央の２枚のスクリーン片間の境界部と、前記他方の行の中央の２枚のスクリーン片の一方とそれに隣接する一方の行端のスクリーン片との間及び前記中央の２枚のスクリーン片の他方とそれに隣接する他方の行端のスクリーン片との間のそれぞれの境界部とにヒンジ部が設けられ、前記一方の行の中央の２枚のスクリーン片の一方とそれに隣接する行端のスクリーン片との間及び前記中央の２枚のスクリーン片の他方とそれに隣接する行端のスクリーン片との間のそれぞれの境界部と、前記他方の行の中央の２枚のスクリーン片間の境界部とに切れ目が設けられているのが好ましい。
【００１３】
また、前記スクリーン体の一方の行のスクリーン片と他方の行のスクリーン片は、それぞれの反射面を互いに向き合わせて折り重ねられるのが好ましい。
【００１４】
この発明の投影用スクリーンにおいては、前記スクリーン体の複数枚のスクリーン片のうち、前記切れ目を挟んで隣り合うスクリーン片の境界部に、前記スクリーン体の折りたたみ時に前記切れ目を挟んで隣り合うスクリーン片間の離間を許容し、前記スクリーン体を展開させたときに前記切れ目を挟んで隣り合うスクリーン片の縁部同士を密接させる切れ目サポート部材を設けるのが望ましい。
【００１５】
前記切れ目サポート部材は、前記切れ目を挟んで隣り合うスクリーン片の両方の縁部に跨って設けられ、両側部を前記隣り合うスクリーン片の縁部にそれぞれ固定されてこれらのスクリーン片を連結する伸縮性シートが好ましい。
【００１６】
また、この発明の投影用スクリーンは、展開された前記スクリーン体の対角線長さと同程度の長さと、前記スクリーン体の１枚のスクリーン片の対角線長さ以下の長さとに調整可能なロッドからなり、展開された前記スクリーン体の反射面とは反対面側に前記スクリーン体の２つの対角線にそれぞれ沿わせて設けられ、両端を前記スクリーン体の対角位置の２つのコーナー部にそれぞれ連結されて前記スクリーン体の展開状態を保持する２本の筋交い部材をさらに備えているのが望ましい。
【００１７】
また、この発明の投影用スクリーンは、展開された前記スクリーン体を起立状態に支えるスクリーン体支え部材をさらに備えているのが望ましい。
【００１８】
前記スクリーン体支え部材は、前記スクリーン体の１枚のスクリーン片の対角線長さと同程度の長さを有し、スクリーン体載置面上に起立状態で置かれた前記スクリーン体の反射面とは反対面の中間高さ付近と、前記スクリーン体載置面との間に斜めに配置されて前記スクリーン体を前記起立状態に支えるスクリーン支え柱からなっているのが好ましい。
【００１９】
また、この発明の投影用スクリーンは、前記スクリーン体の１枚のスクリーン片と略同じ平面形状のスクリーン体載置面を有し、前記スクリーン体載置面の一端部が、反射面を前記スクリーン体載置面の他端側とは反対方向に向けて起立された前記スクリーン体の下端を支持するスクリーン体支持部とされ、前記スクリーン体載置面の他端部に、前記スクリーン体支え柱の下端を支持する支え柱支持部が設けられたスクリーン体載置台をさらに備えているのが好ましい。
【００２０】
その場合は、前記スクリーン体の起立状態における下側の各スクリーン片のうちの１枚のスクリーン片の下端を前記スクリーン体載置台のスクリーン体載置面の一端部に起伏回動可能に連結し、前記スクリーン体を、折りたたみ状態で前記スクリーン体載置面上に倒伏格納させるようにするのが望ましい。
【００２１】
また、前記スクリーン体載置台は、その一端部から前記スクリーン体支持部の延長線方向に張り出され、前記スクリーン体支持部に支持された前記スクリーン体のスクリーン体載置台の側方に突出する部分の下端を支持する補助載置台を格納可能に備えているのが好ましい。
【００２２】
さらに、前記スクリーン体載置台は、内部にその対角線方向に沿わせて前記スクリーン支え柱を収容可能な携帯鞄からなっているのが好ましい。
【発明の効果】
【００２３】
この発明の投影用スクリーンは、複数枚のスクリーン片の間のうち、予め定めたスクリーン片間が、ヒンジ部が設けられた第１の境界部、他のスクリーン片間が、その間の離間を許容する切れ目が設けられた第２の境界部からなっており、使用時に、前記複数枚のスクリーン片を面一に並べた状態に広げられ、不使用時に、前記第１の境界部をはさんで隣り合うスクリーン片同士を折り重ね、その両面側に前記第２の境界部をはさんで隣り合う隣り合うスクリーン片を折り重ねて折りたたまれるため、大面積の画像投影面を形成することができ、しかも、コンパクトに折りたたんで容易に携帯することができる。
【００２４】
この発明の投影用スクリーンは、一方の面が反射面とされた長方形状または正方形状をなす実質的に同じサイズの複数枚のスクリーン片を２行及び少なくとも２列に並べたスクリーン体を備えているのが望ましく、この投影用スクリーンによれば、前記複数枚のスクリーン片を面一に並べた状態に展開させることにより、前記複数枚のスクリーン片の反射面が２行及び少なくとも２列に並んだ面積、つまり１枚のスクリーン片の少なくとも４倍以上の大面積の画像投影面を形成することができる。
【００２５】
そして、この投影用スクリーンでは、前記スクリーン体の２行及び２列の互いに隣り合う４枚のスクリーン片間の４つの境界部のうち、一方の行の２枚のスクリーン片と他方の行の２枚のスクリーン片との間のそれぞれの境界部と、前記一方と他方のいずれかの行の２枚のスクリーン片間の境界部とに、その境界部をはさんで隣り合うスクリーン片同士を折り重ね可能につなぐヒンジ部を設け、他の１つの境界部に、その境界部をはさんで隣り合うスクリーン片間の離間を許容する切れ目を設けることにより、不使用時に、前記一方の行と他方の行の前記ヒンジ部を介してつながるスクリーン片同士を、それぞれの同じ面を互いに向き合わせて折り重ねるとともに、前記一方の行の複数枚のスクリーン片及び前記他方の行の複数枚のスクリーン片のうち、前記ヒンジ部を介してつながる２枚のスクリーン片同士を、前記一方の行と他方の行のスクリーン片の向き合い面とは反対面を互いに向き合わせて折り重ね、その２枚のスクリーンの一方の外面と他方の外面とに前記切れ目を介して隣り合う２枚のスクリーン片をそれぞれ折り重ねて折りたたむことができるようにするのが望ましく、このようにすることにより、前記スクリーン体を直交する２枚の方向に折りたたんでコンパクト化し、容易に携帯することができる。
【００２６】
この発明の投影用スクリーンにおいて、前記スクリーン体は、２行及び少なくとも３列に並んだ６枚以上のスクリーン片からなっており、その一方の行の各スクリーン片と他方の行の各スクリーン片との間のそれぞれの境界部と、前記一方の行の各スクリーン片間の複数つの境界部のうちの１枚置きの境界部と、前記他方の行の各スクリーン片間の複数つの境界部のうち、前記一方の行の前記１枚置きの境界部に対して１スクリーン片分ずれた１枚置きの境界部とにヒンジ部が設けられ、前記一方の行の他の境界部と前記他方の行の他の境界部とに切れ目が設けられているのが望ましく、このようにすることにより、前記複数枚のスクリーン片の反射面が２行及び少なくとも３列に並んだ面積、つまり１枚のスクリーン片の少なくとも６倍以上の面積の画像投影面を形成することができる。
【００２７】
前記スクリーン体は、例えば、２行及び４列に並んだ８枚のスクリーン片からなっており、その一方の行の４枚のスクリーン片と他方の行の４枚のスクリーン片との間のそれぞれの境界部と、前記一方の行の中央の２枚のスクリーン片間の境界部と、前記他方の行の中央の２枚のスクリーン片の一方とそれに隣接する一方の行端のスクリーン片との間及び前記中央の２枚のスクリーン片の他方とそれに隣接する他方の行端のスクリーン片との間のそれぞれの境界部とにヒンジ部が設けられ、前記一方の行の中央の２枚のスクリーン片の一方とそれに隣接する行端のスクリーン片との間及び前記中央の２枚のスクリーン片の他方とそれに隣接する行端のスクリーン片との間のそれぞれの境界部と、前記他方の行の中央の２枚のスクリーン片間の境界部とに切れ目が設けられているのが好ましく、このようにすることにより、前記複数枚のスクリーン片の反射面が２行及び４列に並んだ面積、つまり前記１枚のスクリーン片の８倍の面積の画像投影面を形成することができる。
【００２８】
また、前記スクリーン体の一方の行のスクリーン片と他方の行のスクリーン片は、それぞれの反射面を互いに向き合わせて折り重ねるのが好ましく、このようにすることにより、前記スクリーン体を、全てのスクリーン片の反射面を内側に向けた状態に折りたたんで前記反射面を保護することができる。
【００２９】
この発明の投影用スクリーンにおいては、前記スクリーン体の複数枚のスクリーン片のうち、前記切れ目を挟んで隣り合うスクリーン片の境界部に、前記スクリーン体の折りたたみ時に前記切れ目を挟んで隣り合うスクリーン片間の離間を許容し、前記スクリーン体を展開させたときに前記切れ目を挟んで隣り合うスクリーン片の縁部同士を密接させる切れ目サポート部材を設けるのが望ましく、このようにすることにより、展開された前記スクリーン体の前記切れ目の拡開を防止し、前記スクリーン体の全体にわたって隙間無く連続した画像投影面を形成するとともに、不使用時に、前記切れ目を介して隣り合う２枚のスクリーン片を、これらのスクリーン片の間に挟まれる他の２枚のスクリーン片（ヒンジ部を介してつながるスクリーン片）の外面に無理なく折り重ねることができる。
【００３０】
前記切れ目サポート部材は、前記切れ目を挟んで隣り合うスクリーン片の両方の縁部に跨って設けられ、両側部を前記隣り合うスクリーン片の縁部にそれぞれ固定されてこれらのスクリーン片を連結する伸縮性シートが好ましく、このようにすることにより、前記切れ目を介して隣り合う２枚のスクリーン片同士のずれ動きを抑制し、前記切れ目の終端部の疲労を軽減することができる。
【００３１】
また、この発明の投影用スクリーンは、展開された前記スクリーン体の対角線長さと同程度の長さと、前記スクリーン体の１枚のスクリーン片の対角線長さ以下の長さとに調整可能なロッドからなり、展開された前記スクリーン体の反射面とは反対面側に前記スクリーン体の２つの対角線にそれぞれ沿わせて設けられ、両端を前記スクリーン体の対角位置の２つのコーナー部にそれぞれ連結されて前記スクリーン体の展開状態を保持する２本の筋交い部材をさらに備えているのが望ましく、このようにすることにより、展開された前記スクリーン体を、前記ヒンジ部を挟んで隣り合うスクリーン片同士が前記ヒンジ部においてみだりに屈曲しないように補強し、平坦度の高い画像投影面を形成することができるとともに、不使用時に前記２本の筋交い部材の長さを短くし、この筋交い部材も含めて容易に携帯することができる。
【００３２】
また、この発明の投影用スクリーンは、展開された前記スクリーン体を起立状態に支えるスクリーン体支え部材をさらに備えているのが望ましく、このようにすることにより、展開された前記スクリーン体を起立状態に置いて画像投影に使用することができる。
【００３３】
前記スクリーン体支え部材は、前記スクリーン体の１枚のスクリーン片の対角線長さと同程度の長さを有し、スクリーン体載置面上に起立状態で置かれた前記スクリーン体の反射面とは反対面の中間高さ付近と、前記スクリーン体載置面との間に斜めに配置されて前記スクリーン体を前記起立状態に支えるスクリーン支え柱からなっているのが好ましく、このようにすることにより、展開された前記スクリーン体を、起立状態に支えて置くことができる。
【００３４】
また、この発明の投影用スクリーンは、前記スクリーン体の１枚のスクリーン片と略同じ平面形状のスクリーン体載置面を有し、前記スクリーン体載置面の一端部が、反射面を前記スクリーン体載置面の他端側とは反対方向に向けて起立された前記スクリーン体の下端を支持するスクリーン体支持部とされ、前記スクリーン体載置面の他端部に、前記スクリーン体支え柱の下端を支持する支え柱支持部が設けられたスクリーン体載置台をさらに備えているのが好ましく、このようにすることにより、前記スクリーン体載置台を利用して、展開されたスクリーン体を起立状態に置くことができる。
【００３５】
その場合は、前記スクリーン体の起立状態における下側の各スクリーン片のうちの１枚のスクリーン片の下端を前記スクリーン体載置台のスクリーン体載置面の一端部に起伏回動可能に連結し、前記スクリーン体を、折りたたみ状態で前記スクリーン体載置面上に倒伏格納させるようにするのが望ましく、このようにすることにより、折りたたんだスクリーン体を前記スクリーン体載置台と一緒に携帯することができる。
【００３６】
また、前記スクリーン体載置台は、その一端部から前記スクリーン体支持部の延長線方向に張り出され、前記スクリーン体支持部に支持された前記スクリーン体のスクリーン体載置台の側方に突出する部分の下端を支持する補助載置台を格納可能に備えているのが好ましく、このようにすることにより、前記スクリーン体を前記スクリーン体載置台と前記補助載置台とによりさらに安定に支持するとともに、不使用時は前記補助載置台を前記スクリーン体載置台に格納して携帯することができる。
【００３７】
さらに、前記スクリーン体載置台は、内部にその対角線方向に沿わせて前記スクリーン支え柱を収容可能な携帯鞄からなっているのが好ましく、このようにすることにより、前記携帯鞄を利用して、展開されたスクリーン体を起立状態に置くことができるとともに、不使用時に、前記スクリーン支え柱を前記携帯鞄内に収容して携帯することができる。
【発明を実施するための最良の形態】
【００３８】
図１〜図１１はこの発明の一実施例を示しており、図１及び図２は投影用スクリーンの使用状態の投影面側及びその反対面側から見た斜視図、図３は前記投影用スクリーンの不使用状態の斜視図、図４、図５、図６及び図７は図１のIV―IV線、V―V線、VI―VI線及びVII―VII線に沿うハッチングを省略した拡大断面図、図８及び図９は図３のVIII―VIII線及びIX―IX線に沿うハッチングを省略した拡大断面図である。
【００３９】
この実施例の投影用スクリーンは、図１及び図２に示したように、一方の面が投影光を反射する反射面３とされた縦長長方形状をなす実質的に同じサイズの８枚のスクリーン片２ａ，２ｂ，２ｃ，２ｄ，２ｅ，２ｆ，２ｇ，２ｈがそれぞれの反射面３を同じ方向に向けて上下２行及び左右４列に並んだ、折りたたみ可能な８分割型のスクリーン体１を備えている。
【００４０】
このスクリーン体１は、縦横の幅が８４０ｍｍ×６２０ｍｍの横長スクリーン体であり、前記８枚のスクリーン片２ａ〜２ｈはそれぞれ、ＪＩＳ（日本工業規格）によるＡ４版と同程度の３１０ｍｍ×２１０ｍｍのサイズを有している。
【００４１】
前記スクリーン片２ａ〜２ｈはいずれも、１ｍｍ程度の厚さの硬質片であり、高い光反射性を有するアルミニウム板、あるいは、一方の面にパール顔料を印刷して反射面ａを形成した硬質樹脂板等からなっている。
【００４２】
そして、前記上下２行及び左右４列に並ぶ８枚のスクリーン片２ａ〜２ｈのうち、一方の行の４枚のスクリーン片２ａ，２ｂ，２ｃ，２ｄと他方の行の４枚のスクリーン片２ｅ，２ｆ，２ｇ，２ｈとの間のそれぞれの境界部と、前記一方の行の中央の２枚のスクリーン片２ｂ，２ｃ間の境界部と、前記他方の行の中央の２枚のスクリーン片２ｆ，２ｇの一方２ｆとそれに隣接する一方の行端のスクリーン片２ｅとの間及び前記中央の２枚のスクリーン片２ｆ，２ｇの他方２ｇとそれに隣接する他方の行端のスクリーン片２ｈとの間のそれぞれの境界部とに、その境界部をはさんで隣り合うスクリーン片同士を折り重ね可能につなぐヒンジ部４，５が設けられ、前記一方の行の中央の２枚のスクリーン片２ｂ，２ｃの一方２ｂとそれに隣接する行端のスクリーン片２ａとの間及び前記中央の２枚のスクリーン片２ｂ，２ｃの他方２ｃとそれに隣接する行端のスクリーン片２ｄとの間のそれぞれの境界部と、前記他方の行の中央の２枚のスクリーン片２ｆ，２ｇ間の境界部とに、その境界部の全長にわたって切れ目６が設けられている。
【００４３】
以下、前記一方の行と他方の行のスクリーン片２ａ，２ｅ間、２ｂ，２ｆ間、２ｃ，２ｇ間及び２ｄ，２ｈ間のヒンジ部を横ヒンジ部と言い、前記一方の行のスクリーン片２ｂ，２ｃ間と前記他方の行のスクリーン片２ｅ，２ｆ間及び２ｇ，２ｈ間のヒンジ部５を縦ヒンジ部と言う。
【００４４】
前記横ヒンジ部４と縦ヒンジ部５はそれぞれ、可撓性樹脂フィルムからなる５〜１０ｍｍ程度の幅のヒンジテープ４ａ，５ａを、前記ヒンジ部４，５を挟んで隣り合うスクリーン片の両方の縁部にそれぞれ貼り付け固定して形成されている。
【００４５】
これらのヒンジテープ４ａ，５ａのうち、一方の行と他方の行のスクリーン片２ａ，２ｅ間、２ｂ，２ｆ間、２ｃ，２ｇ間及び２ｄ，２ｈ間の横ヒンジ部４を形成するヒンジテープ４ａは、前記スクリーン片の反射面３に貼り付けられており、前記一方の行のスクリーン片２ａ，２ｂ，２ｃ，２ｄと他方の行のスクリーン片２ｅ，２ｆ，２ｇ，２ｈを図４のようにそれぞれの反射面３を互いに向き合わせて折り重ねるヒンジ部を形成している。
【００４６】
なお、前記スクリーン片の反射面３に貼り付けられて前記横ヒンジ部４を形成するヒンジテープ４ａは、高い透明度を有する無色テープまたは外面（スクリーン片貼り付け面とは反対面）に前記反射面３と同質の反射面を形成したテープからなっている。
【００４７】
また、前記一方の行のスクリーン片２ｂ，２ｃ間と前記他方の行のスクリーン片２ｅ，２ｆ間及び２ｇ，２ｈ間の縦ヒンジ部５を形成するヒンジテープ５ａは、前記スクリーン片の反射面３とは反対面（以下、背面と言う）に貼り付けられており、前記一方の行のスクリーン片２ｂ，２ｃと前記他方の行のスクリーン片２ｅ，２ｆ及び２ｇ，２ｈを図５のようにそれぞれの背面を互いに向き合わせて折り重ねるヒンジ部を形成している。
【００４８】
一方、前記一方の行の前記切れ目６を挟んで隣り合うスクリーン片２ａ，２ｂ及び２ｃ，２ｄの境界部と、前記他方の行の前記切れ目６を挟んで隣り合うスクリーン片２ｆ，２ｇの境界部にはそれぞれ、前記スクリーン体１の折りたたみ時に前記切れ目６を挟んで隣り合うスクリーン片間の離間を許容し、前記スクリーン体１を前記８枚のスクリーン片２ａ〜２ｈを面一に並べた状態に展開させたときに前記切れ目６を挟んで隣り合うスクリーン片の縁部同士を密接させる切れ目サポート部材７が設けられている。
【００４９】
この切れ目サポート部材７は、前記切れ目６を挟んで隣り合うスクリーン片２ａ，２ｂ及び２ｃ，２ｄと２ｆ，２ｇの両方の縁部に跨って設けられ、両側部を前記隣り合うスクリーン片の縁部にそれぞれ貼り付け固定されてこれらのスクリーン片を連結する高伸縮率の伸縮性シートからなっている。
【００５０】
この伸縮性シートからなる切れ目サポート部材７は、前記切れ目６を挟んで隣り合うスクリーン片２ａ，２ｂ及び２ｃ，２ｄと２ｆ，２ｇの背面の縁部に貼り付けられており、図６のように、前記隣り合うスクリーン片の折り重ねにともなって引き伸ばされながら屈曲し、前記隣り合うスクリーン片を面一に並べた状態に展開するのにともなって元の状態に縮小してこれらのスクリーン片の縁部同士を密接させる。
【００５１】
前記スクリーン体１は、使用時に、２行及び８列の８枚のスクリーン片２ａ〜２ｈを面一に並べた状態に展開され、不使用時に、前記８枚のスクリーン片２ａ〜２ｈを互いに折り重ねた状態に折りたたまれる。
【００５２】
図１０は前記スクリーン体１の折りたたみ手順を示す模式図であり、ここでは便宜上、前記横ヒンジ部４を一点鎖線、前記縦ヒンジ部５を二点鎖線で示し、また前記切れ目６を、前記切れ目サポート部材７を設けていない切放し状態として示している。
【００５３】
図１０のように、前記スクリーン体１は、まず（ａ）→（ｂ）のように横ヒンジ部４において一方の行のスクリーン片２ａ〜２ｄと他方の行のスクリーン片２ｅ〜２ｈとを同じ方向に折り重ね、これらの折り重ね片を、縦ヒンジ部５と切れ目６とが重なった境界部において、前記縦ヒンジ部５を内側にし、前記切れ目６を外側にして（ｂ）→（ｃ）のようにジグザグに折り重ねることにより、前記８枚のスクリーン片２ａ〜２ｈを互いに折り重ねた状態に折りたたまれる。
【００５４】
すなわち、前記スクリーン体１は、一方の行と他方の行の横ヒンジ部４を介してつながるスクリーン片２ａ，２ｅ同士、２ｂ，２ｆ同士、２ｃ，２ｇ同士及び２ｄ，２ｈ同士を、それぞれの同じ面を互いに向き合わせて折り重ね、前記一方の行の４枚のスクリーン片２ａ，２ｂ，２ｃ，２ｄ及び前記他方の行の４枚のスクリーン片２ｅ，２ｆ，２ｇ，２ｈのうち、前記縦ヒンジ部５を介してつながる２枚のスクリーン片２ｂ，２ｃ同士、２ｅ，２ｆ同士及び２ｇ，２ｈ同士を、前記一方の行と他方の行のスクリーン片２ａ，２ｅ、２ｂ，２ｆ、２ｃ，２ｇ及び２ｄ，２ｈの向き合い面とは反対面を互いに向き合わせて折り重ね、その２枚のスクリーンの一方の外面と他方の外面とに前記切れ目６を介して隣り合う２枚のスクリーン片２ａ，２ｂ、２ｃ，２ｄ及び２ｆ，２ｇをそれぞれ折り重ねて折りたたまれる。
【００５５】
このスクリーン体１の折りたたみにおいて、前記縦ヒンジ部５を介してつながる２枚のスクリーン片の一方の外面と他方の外面とにそれぞれ折り重ねられる２枚のスクリーン片２ａ，２ｂ、２ｃ，２ｄ及び２ｆ，２ｇは、その間に挟み込まれる前記２枚のスクリーン片（縦ヒンジ部５を介してつながるスクリーン片）の重なり厚さに前記切れ目６を拡開させて折り重ねられ、また、前記切れ目６を挟んで隣り合うスクリーン片２ａ，２ｂ及び２ｃ，２ｄと２ｆ，２ｇの両方の縁部に両側部を貼り付け固定された伸縮性シートからなる切れ目サポート部材７は、上述したように前記隣り合うスクリーン片の折り重ねにともなって引き伸ばされながら屈曲するため、前記スクリーン体１を、各スクリーン片２ａ〜２ｈ及びヒンジ部４，５に無理な力を作用させることなく折りたたむことができる。
【００５６】
なお、この実施例では、前記横ヒンジ部４を形成するヒンジテープ４ａを前記スクリーン片の反射面３に貼り付けることにより、この横ヒンジ部４を、一方の行のスクリーン片２ａ，２ｂ，２ｃ，２ｄと他方の行のスクリーン片２ｅ，２ｆ，２ｇ，２ｈをそれぞれの反射面３を互いに向き合わせて折り重ねるヒンジ部とし、前記縦ヒンジ部５を形成するヒンジテープ５ａを前記スクリーン片の反射面３とは反対の背面に貼り付けることにより、この縦ヒンジ部５を、一方の行のスクリーン片２ｂ，２ｃと他方の行のスクリーン片２ｅ，２ｆ及び２ｇ，２ｈをそれぞれの背面を互いに向き合わせて折り重ねるヒンジ部としているため、前記横ヒンジ部４を介してつながるスクリーン片同士がそれぞれの反射面３を互いに向き合わせて折り重ねられ、前記縦ヒンジ部５を介してつながるスクリーン片同士が前記反射面３とは反対の背面を互いに向き合わせて折り重ねられる。
【００５７】
また、この実施例の投影用スクリーンは、図２に示したように、前記２行及び８列の８枚のスクリーン片２ａ〜２ｈを面一に並べた状態に展開された前記スクリーン体１の対角線長さと同程度の長さと、前記スクリーン体１の１枚の長方形スクリーン片の長辺長さと同程度の長さとに調整可能なロッドからなり、展開された前記スクリーン体１の反射面３とは反対の背面側に前記スクリーン体１の２つの対角線にそれぞれ沿わせて設けられ、両端を前記スクリーン体１の対角位置の２つのコーナー部にそれぞれ連結されて前記スクリーン体１の展開状態を保持する２本の筋交い部材８をさらに備えている。
【００５８】
この２本の筋交い部材８はそれぞれ、直径を順次異ならせた複数本のパイプを順にスライド可能に嵌合した伸縮ロッドからなっており、展開されたスクリーン体１の対角線長さと同程度の長さに伸張され、その両端を前記スクリーン体１の対角位置の２つのコーナー部にそれぞれピン結合等の手段により着脱可能に連結して前記スクリーン体１の背面側に設けられる。
【００５９】
また、この実施例の投影用スクリーンは、展開された前記スクリーン体１の背面側の中心部において交差する前記２本の筋交い部材８の交差部に着脱可能に嵌合される筋交いクランプ部材９と、展開された前記スクリーン体１を起立状態に支えるスクリーン体支え部材１０とをさらに備えている。
【００６０】
前記スクリーン体支え部材１０は、前記スクリーン体１の１枚のスクリーン片の対角線長さと同程度の長さを有し、スクリーン体載置面上に起立状態で置かれた前記スクリーン体１の背面の中間高さ付近と、前記スクリーン体載置面との間に斜めに配置されて前記スクリーン体１を前記起立状態に支えるスクリーン支え柱からなっている。以下、このスクリーン体支え部材１０をスクリーン支え柱と言う。
【００６１】
なお、この実施例では、前記スクリーン体支え柱１０の上端を前記筋交いクランプ部材９に着脱可能に嵌合させ、前記スクリーン体１の中心部を前記スクリーン体支え柱１０により支えさせるようにしている。
【００６２】
さらに、この実施例の投影用スクリーンは、前記スクリーン体１の１枚のスクリーン片と略同じ平面形状のスクリーン体載置面を有し、前記スクリーン体載置面の一端部が、反射面３を前記スクリーン体載置面の他端側とは反対方向に向けて起立された前記スクリーン体１の下端を支持するスクリーン体支持部とされ、前記スクリーン体載置面の他端部に、前記スクリーン体支え柱１０の下端を支持する支え柱支持部１５が設けられたスクリーン体載置台１１をさらに備えている。
【００６３】
このスクリーン体載置台１１は、内部にその対角線方向に沿わせて前記スクリーン支え柱１０を収容可能な携帯鞄からなっている。以下、このスクリーン体載置台１１を携帯鞄という。
【００６４】
この携帯鞄１１は、前記スクリーン体１の１枚のスクリーン片のサイズ（３１０ｍｍ×２１０ｍｍ）よりも若干大きい約３２０ｍｍ×２２０ｍｍのサイズの長方形状の外形を有し、内部の対角線長さが前記スクリーン支え柱１０よりも僅かに長く設定された長方形箱状のケース部１２と開閉蓋部１３とからなっており、前記ケース部１２の上部に手提げ用取手１４が設けられている。
【００６５】
この携帯鞄１１は、例えばテーブル等の上に、前記ケース部１２の底部外面と開閉蓋部１３の外面のいずれか一方を上方に向けた寝かせ状態に置かれてスクリーン体載置台とされるものであり、その寝かせ状態における上面、例えば開閉蓋部１３の外面がスクリーン体載置面とされるとともに、このスクリーン体載置面の一端部が、反射面３を前記スクリーン体載置面の他端側とは反対方向に向けて起立されたスクリーン体１の下端を支持するスクリーン体支持部とされ、前記スクリーン体載置面の他端部に、前記スクリーン体支え柱１０の下端を支持する穴状の支え柱支持部１５が設けられている。
【００６６】
そして、前記スクリーン体１の起立状態における下側、つまり下側の行の各スクリーン片２ａ，２ｂ，２ｃ，２ｄのうちの１枚のスクリーン片の下端は、前記携帯鞄１１のスクリーン体載置面の一端部に起伏回動可能に連結されており、前記スクリーン体１は、上述した折りたたみ状態で、図３及び図８〜図９に示したように前記携帯鞄１１のスクリーン体載置面上に倒伏格納される。
【００６７】
この実施例では、前記スクリーン体１の起立状態における下側の行の中央の２枚のスクリーン片２ｂ，２ｃのうちの一方のスクリーン片２ｂの下端を、高伸縮率の伸縮性連結シート１６を介して前記携帯鞄１１のスクリーン体載置面の一端部に連結している。
【００６８】
この伸縮性連結シート１６は、その両側部を前記スクリーン片２ｂの下縁部と前記携帯鞄１１のスクリーン体載置面の一端部とにそれぞれ貼り付け固定されており、図７のように、前記スクリーン片２ｂを前記携帯鞄１１のスクリーン体載置面上に倒伏させるのにともなって引き伸ばされながら屈曲する。
【００６９】
さらに、前記携帯鞄１１は、その一端部から前記スクリーン体支持部の延長線方向に張り出され、前記スクリーン体支持部に支持されたスクリーン体１の前記携帯鞄１１の側方に突出する部分の下端を支持する補助載置台１７を格納可能に備えている。
【００７０】
この補助載置台１７は、前記スクリーン体１の１枚のスクリーン片の短辺長さ（展開させたスクリーン体１を起立させたときのスクリーン片の上下端の辺長）と同程度の長さと、前記携帯鞄１１の厚さ（寝かせ状態における高さ）と実質的に同じ高さと、前記スクリーン片の厚さ（１ｍｍ程度）の数倍、例えば３〜５ｍｍ程度の厚さを有する角棒状のアームからなっており、その一端を前記携帯鞄１１のケース部１２の角部に枢支され、前記スクリーン体１の起立状態における下側の行の中央の２枚のスクリーン片２ｂ，２ｃのうち、前記携帯鞄１１に連結されていないスクリーン片２ｃの下端を支持する張り出し状態と、前記携帯鞄１１の一端面に沿わせて格納された状態とに回動可能に設けられている。
【００７１】
前記投影用スクリーンは、一方の面が反射面３とされた縦長長方形状をなす実質的に同じサイズの８枚のスクリーン片２ａ〜２ｈを上下２行及び左右４列に並べたスクリーン体１を備えたものであるため、前記８枚のスクリーン片２ａ〜２ｈを面一に並べた状態に展開させることにより、前記８枚のスクリーン片２ａ〜２ｈの反射面３が２行及び４列に並んだ面積、つまり１枚のスクリーン片の８倍の面積を有する大面積の画像投影面を形成することができる。
【００７２】
しかも、この投影用スクリーンは、前記スクリーン体１の２行及び４列に並ぶ８枚のスクリーン片２ａ〜２ｈのうち、一方の行の４枚のスクリーン片２ａ，２ｂ，２ｃ，２ｄと他方の行の４枚のスクリーン片２ｅ，２ｆ，２ｇ，２ｈとの間のそれぞれの境界部と、前記一方の行の中央の２枚のスクリーン片２ｂ，２ｃ間の境界部と、前記他方の行の中央の２枚のスクリーン片２ｆ，２ｇの一方２ｆとそれに隣接する一方の行端のスクリーン片２ｅとの間及び前記中央の２枚のスクリーン片２ｆ，２ｇの他方２ｇとそれに隣接する他方の行端のスクリーン片２ｈとの間のそれぞれの境界部とに、その境界部をはさんで隣り合うスクリーン片同士を折り重ね可能につなぐヒンジ部４，５を設け、前記一方の行の中央の２枚のスクリーン片２ｂ，２ｃの一方２ｂとそれに隣接する行端のスクリーン片２ａとの間及び前記中央の２枚のスクリーン片２ｂ，２ｃの他方２ｃとそれに隣接する行端のスクリーン片２ｄとの間のそれぞれの境界部と、前記他方の行の中央の２枚のスクリーン片２ｆ，２ｇ間の境界部とに切れ目６を設けることにより、不使用時に、前記一方の行と他方の行の横ヒンジ部４を介してつながるスクリーン片同士を、それぞれの同じ面を互いに向き合わせて折り重ねるとともに、前記一方の行の４枚のスクリーン片２ａ〜２ｄ及び前記他方の行の４枚のスクリーン片２ｅ〜２ｈのうち、縦ヒンジ部５を介してつながる２枚のスクリーン片同士を、前記一方の行と他方の行のスクリーン片の向き合い面とは反対面を互いに向き合わせて折り重ね、その２枚のスクリーンの一方の外面と他方の外面とに前記切れ目６を介して隣り合う２枚のスクリーン片をそれぞれ折り重ねて折りたたむことができるようにしているため、前記スクリーン体１を直交する２枚の方向に折りたたんでコンパクト化し、容易に携帯することができる。
【００７３】
また、上記投影用スクリーンは、前記スクリーン体１の一方の行のスクリーン片２ａ〜２ｈと他方の行のスクリーン片２ｅ〜２ｈを、それぞれの反射面３を互いに向き合わせて折り重ねるようにしているため、前記スクリーン体１を、全てのスクリーン片２ａ〜２ｈの反射面３を内側に向けた状態に折りたたんで前記反射面３を保護することができる。
【００７４】
さらに、上記実施例では、前記スクリーン体１の各スクリーン片２ａ〜２ｈのうち、前記切れ目６を挟んで隣り合うスクリーン片の境界部に、前記スクリーン体１の折りたたみ時に前記切れ目６を挟んで隣り合うスクリーン片間の離間を許容し、前記スクリーン体１を展開させたときに前記切れ目６を挟んで隣り合うスクリーン片の縁部同士を密接させる切れ目サポート部材７を設けているため、展開された前記スクリーン体１の前記切れ目６の拡開を防止し、前記スクリーン体１の全体にわたって隙間無く連続した画像投影面を形成するとともに、不使用時に、前記切れ目６を介して隣り合う２枚のスクリーン片を、これらのスクリーン片の間に挟まれる他の２枚のスクリーン片（縦ヒンジ部５を介してつながるスクリーン片）の外面に無理なく折り重ねることができる。
【００７５】
また、上記投影用スクリーンでは、前記切れ目サポート部材７を、前記切れ目６を挟んで隣り合うスクリーン片の両方の縁部に跨って設けられ、両側部を前記隣り合うスクリーン片の縁部にそれぞれ固定されてこれらのスクリーン片を連結する伸縮性シートとしているため、前記切れ目６を介して隣り合う２枚のスクリーン片同士のずれ動きを抑制し、前記切れ目６の終端部（一方の行と他方の行の２枚のスクリーン片間の境界部との交差部）の疲労を軽減することができる。
【００７６】
さらにまた、上記投影用スクリーンでは、展開された前記スクリーン体１の対角線長さと同程度の長さと、前記スクリーン体１の１枚のスクリーン片の長辺長さと同程度の長さとに調整可能な伸縮ロッドからなり、展開された前記スクリーン体１の反射面とは反対の背面側に前記スクリーン体１の２つの対角線にそれぞれ沿わせて設けられ、両端を前記スクリーン体１の対角位置の２つのコーナー部にそれぞれ連結されて前記スクリーン体１の展開状態を保持する２本の筋交い部材８をさらに備えているため、展開された前記スクリーン体１を、前記ヒンジ部４，５を挟んで隣り合うスクリーン片同士が前記ヒンジ部４，５においてみだりに屈曲しないように補強し、平坦度の高い画像投影面を形成することができるとともに、不使用時に前記２本の筋交い部材８の長さを短くし、この筋交い部材８も含めて容易に携帯することができる。
【００７７】
また、上記投影用スクリーンは、前記スクリーン体１の１枚のスクリーン片の対角線長さと同程度の長さを有し、展開され起立状態でスクリーン体載置面上に置かれた前記スクリーン体１の反射面３とは反対の背面の中間高さ付近と、前記スクリーン体載置面との間に斜めに配置されて前記スクリーン体１を前記起立状態に支えるスクリーン支え柱１０をさらに備えているため、展開された前記スクリーン体１を起立状態に支えて置いて画像投影に使用することができる。
【００７８】
また、上記投影用スクリーンは、前記スクリーン体１の１枚のスクリーン片と略同じ平面形状を有し、寝かせ状態に置かれてスクリーン体載置台とされる携帯鞄１１をさらに備え、この携帯鞄１１の寝かせ状態における上面をスクリーン体載置面とするとともに、このスクリーン体載置面の一端部を、展開され反射面３を前記スクリーン体載置面の他端側とは反対方向に向けて起立されたスクリーン体１の下端を支持するスクリーン体支持部とし、前記スクリーン体載置面の他端部に、前記スクリーン体支え柱１０の下端を支持する穴状の支え柱支持部１５を設けているため、この携帯鞄１１を利用して、展開されたスクリーン体１を起立状態に置くことができる。
【００７９】
図１１は投影用スクリーンの使用例を示しており、この使用例は、テーブル１８上の一端側にプロジェクタ１９を置き、前記テーブル１８上の他端側に前記投影用スクリーンを置いて、前記プロジェクタ１９による投影画像を前記前記投影用スクリーンのスクリーン体１に投影表示するようにしたものである。
【００８０】
上記投影用スクリーンは、前記スクリーン体１の１枚のスクリーン片と略同じ平面形状を有し、テーブル等の上に寝かせ状態に置かれてスクリーン体載置台とされる携帯鞄１１をさらに備え、この携帯鞄１１の寝かせ状態における上面をスクリーン体載置面とするとともに、このスクリーン体載置面の一端部を、展開され反射面３を前記スクリーン体載置面の他端側とは反対方向に向けて起立されたスクリーン体１の下端を支持するスクリーン体支持部とし、前記スクリーン体載置面の他端部に、前記スクリーン体支え柱１０の下端を支持する穴状の支え柱支持部１５を設けているため、この携帯鞄１１を利用して、展開されたスクリーン体１を起立状態に置くことができる。
【００８１】
また、前記携帯鞄１１は、その一端部から前記スクリーン体支持部の延長線方向に張り出され、前記スクリーン体支持部に支持された前記スクリーン体１の前記携帯鞄１１の側方に突出する部分の下端を支持する補助載置台１７を格納可能に備えているため、前記スクリーン体１を前記携帯鞄１１と前記補助載置台１７とによりさらに安定に支持するとともに、不使用時は前記補助載置台１７を前記携帯鞄１１の端面に格納して携帯することができる。
【００８２】
そして、前記携帯鞄１１は、上述したように、前記スクリーン体１の１枚のスクリーン片よりも若干大きい長方形状の外形を有し、内部の対角線長さが前記スクリーン支え柱１０よりも僅かに長く設定された長方形箱状のケース部１２と開閉蓋部１３とからなっているため、投影用スクリーンの不使用時に、前記スクリーン支え柱１０を前記携帯鞄１１内に収容して携帯することができる。
【００８３】
また、前記伸縮ロッドからなる２本の筋交い部材８は上述したように前記スクリーン体１の１枚のスクリーン片の長辺長さと同程度の長さに縮小でき、また、前記２本の筋交い部材８の交差部をクランプする筋交いクランプ部材９は、前記１枚のスクリーン片の面積よりもはるかに小さいため、前記２本の筋交い部材８と筋交いクランプ部材９も前記携帯鞄１１内に収容して携帯することができる。
【００８４】
なお、前記２本の筋交い部材８は、図２に鎖線で示したように、その両端のいずれか一方を前記スクリーン体１のコーナー部に連結したまま縮小させて前記スクリーン体１の背面に格納してもよく、その場合は、前記スクリーン体１を前記筋交い部材８をスクリーン片間に挟み込んで折りたためばよい。
【００８５】
さらに、上記投影用スクリーンでは、前記スクリーン体１の起立状態における下側の各スクリーン片２ａ，２ｂ，２ｃ，２ｄのうちの１枚のスクリーン片２ｂの下端を前記携帯鞄１１のスクリーン体載置面の一端部に起伏回動可能に連結し、前記スクリーン体１を、折りたたみ状態で前記スクリーン体載置面上に倒伏格納させるようにしているため、折りたたんだスクリーン体１を前記携帯鞄１１と一緒に携帯することができる。
【００８６】
なお、折りたたんだスクリーン体１を前記携帯鞄１１のスクリーン体載置面上に倒伏格納させる場合、前記スクリーン体１の各スクリーン片２ａ〜２ｈのうち、前記スクリーン体載置面の一端部に起伏回動可能に連結された１枚のスクリーン片２ｂは、その背面側に折り重ねられたスクリーン片２ｃ，２ｇ，２ｈ，２ｄを前記スクリーン体載置面との間に挟み込んだ状態で倒伏されるが、このスクリーン片２ｂは高伸縮率の伸縮性連結シート１６を介して前記スクリーン体載置面の一端部に連結されており、この伸縮性連結シート１６が前記スクリーン片２ｂを前記スクリーン体載置面上に倒伏させるのにともなって引き伸ばされながら屈曲するため、折りたたんだスクリーン体１を、各スクリーン片２ａ〜２ｈ及びヒンジ部４，５に無理な力を作用させることなく前記スクリーン体載置面上に倒伏させることができる。
【００８７】
また、折りたたみ状態で前記携帯鞄１１のスクリーン体載置面上に倒伏格納したスクリーン体１は、例えば図３に鎖線で示したようにバンド２０等によって前記携帯鞄１１に固定すればよく、このようにすることにより、前記スクリーン体１をみだりに展開しないようにして前記携帯鞄１１と一緒に携帯することができる。
【００８８】
なお、上記実施例では、スクリーン体１の複数枚のスクリーン片２ａ〜２ｈのうち、切れ目６を挟んで隣り合うスクリーン片の境界部に、伸縮性シートからなる切れ目サポート部材７を設けているが、前記切れ目６を挟んで隣り合うスクリーン片の境界部に設ける切れ目サポート部材は、前記スクリーン体１の折りたたみ時に前記切れ目６を挟んで隣り合うスクリーン片間の離間を許容し、前記スクリーン体１を展開させたときに前記切れ目６を挟んで隣り合うスクリーン片の縁部同士を密接させるものであれば、他のサポート部材でもよい。
【００８９】
図１２はこの発明の他の実施例を示すスクリーン体１の切れ目６付近のハッチングを省略した断面図であり、この実施例は、前記切れ目６を挟んで隣り合うスクリーン片２ａ，２ｂの境界部に、その一方のスクリーン片２ａの縁部に固定された切れ目サポート用磁性板２１と他方のスクリーン片２ｂの縁部に固定された切れ目サポート用磁石２２とからなるサポート部材を設けたものである。
【００９０】
なお、前記スクリーン体１の切れ目６にサポート部材が無くても、前記スクリーン体１を展開させた状態で使用できるので、前記切れ目６に前記サポート部材を設けなくてもよい。
【００９１】
また、上記実施例では、スクリーン体１の起立状態における下側の各スクリーン片２ａ，２ｂ，２ｃ，２ｄのうちの１枚のスクリーン片２ｂの下端をスクリーン体載置台として利用する携帯鞄１１のスクリーン体載置面の一端部に起伏回動可能に連結しているが、前記スクリーン体１は前記携帯鞄１１に連結しなくてもよい。
【００９２】
図１３はこの発明の他の実施例を示す携帯鞄１１のスクリーン体支持部のハッチングを省略した断面図であり、この実施例は、前記携帯鞄１１のスクリーン体支持部にスクリーン片嵌込み溝２３を設け、このスクリーン片嵌込み溝２３に、前記スクリーン体１の起立状態における下側の１枚のスクリーン片２ｂの下端を着脱可能に保持させるようにしたものである。
【００９３】
この実施例の場合は、折りたたんだスクリーン体１を、前記携帯鞄１１のスクリーン体載置面上に倒伏させて格納しても、あるいは前記携帯鞄１１内に収容してもよい。
【００９４】
さらに、上記実施例では、携帯鞄１１をスクリーン体載置台としているが、スクリーン体載置台は、スクリーン体１の１枚のスクリーン片と略同じ平面形状のプレートでもよく、その場合も、前記プレートの上面をスクリーン体載置面とし、その一端部を反射面３を前記スクリーン体載置面の他端側とは反対方向に向けて起立されたスクリーン体１の下端を支持するスクリーン体支持部とするとともに、前記スクリーン体載置面の他端部に、スクリーン体支え柱１０の下端を支持する支え柱支持部を設けることにより、前記プレートからなるスクリーン体載置台を利用して、展開されたスクリーン体を起立状態に置くことができる。
【００９５】
なお、前記プレートからなるスクリーン体載置台を用いる場合は、前記スクリーン体１の起立状態における下側の各スクリーン片のうちの１枚のスクリーン片の下端を前記スクリーン体載置台のスクリーン体載置面の一端部に起伏回動可能に連結し、前記スクリーン体１を、折りたたみ状態で前記スクリーン体載置面上に倒伏格納させるようにするのが好ましい。
【００９６】
さらに、上記実施例では、展開されたスクリーン体の１枚のスクリーン片の対角線長さと同程度の長さを有し、スクリーン体載置面上に起立状態で置かれた前記スクリーン体１の反射面３とは反対面（背面）の中間高さ付近と、前記スクリーン体載置面との間に斜めに配置されて前記スクリーン体１を前記起立状態に支えるスクリーン支え柱１０を備えているが、展開されたスクリーン体１を起立状態に支えるスクリーン体支え部材は、例えば前記スクリーン体の下端を支える脚部材でもよい。
【００９７】
また、上記実施例では、スクリーン体１の展開状態を保持する２本の筋交い部材８として、伸縮ロッドを用いているが、前記筋交い部材８は、展開されたスクリーン体１の対角線長さと同程度の長さと、前記スクリーン体１の１枚のスクリーン片の対角線長さ以下の長さとに調整可能なものであれば、複数本の分割ロッドの継ぎ合わせロッドや、複数本の分割ロッドを屈曲可能に連結した折りたたみロッド等でもよい。
【００９８】
さらに、上記実施例では、スクリーン体１の各スクリーン片２ａ〜２ｈを、アルミニウム板、あるいは一方の面にパール顔料を印刷した硬質樹脂板等により形成しているが、前記スクリーン片２ａ〜２ｈは、例えば一方の面が反射面に形成された軟質反射シートの背面を背板により補強したスクリーン材等により形成してもよく、その場合は、反射面を互いに向き合わせて折り重ねられるスクリーン片の両方の軟質反射シートを連続させ、これらのスクリーン片の境界部のヒンジ部を前記軟質反射シートを利用して形成してもよい。
【００９９】
また、上記実施例の投影用スクリーンは、長方形状の８枚のスクリーン片２ａ〜２ｈを上下２行及び左右４列に並べた横長のスクリーン体１を備えたものであるが、スクリーン体は、前記８枚のスクリーン片２ａ〜２ｈを左右２行及び上下４列に並べた縦長のものでもよく、また前記スクリーン片２ａ〜２ｈは、長方形状のものに限らず、正方形状のものでもよい。
【０１００】
さらにまた、スクリーン体は、８枚のスクリーン片２ａ〜２ｈを２行及び４列に並べたものに限らず、一方の面が反射面とされた長方形状または正方形状をなす実質的に同じサイズの複数枚のスクリーン片を２行及び少なくとも２列に並べたものであればよく、前記複数枚のスクリーン片を面一に並べた状態に展開させることにより、前記複数枚のスクリーン片の反射面が２行及び少なくとも２列に並んだ面積、つまり１枚のスクリーン片の少なくとも４倍以上の大面積の画像投影面を形成することができる。
【０１０１】
そして、複数枚のスクリーン片を２行及び少なくとも２列に並べてスクリーン体を形成する場合は、その２行及び２列の互いに隣り合う４枚のスクリーン片間の４つの境界部のうち、一方の行の２枚のスクリーン片と他方の行の２枚のスクリーン片との間のそれぞれの境界部と、前記一方と他方のいずれかの行の２枚のスクリーン片間の境界部とに、その境界部をはさんで隣り合うスクリーン片同士を折り重ね可能につなぐヒンジ部を設け、他の１つの境界部に、その境界部をはさんで隣り合うスクリーン片間の離間を許容する切れ目を設ければよく、このようにすることにより、不使用時に、前記一方の行と他方の行の前記ヒンジ部を介してつながるスクリーン片同士を、それぞれの同じ面を互いに向き合わせて折り重ねるとともに、前記一方の行の複数枚のスクリーン片及び前記他方の行の複数枚のスクリーン片のうち、前記ヒンジ部を介してつながる２枚のスクリーン片同士を、前記一方の行と他方の行のスクリーン片の向き合い面とは反対面を互いに向き合わせて折り重ね、その２枚のスクリーンの一方の外面と他方の外面とに前記切れ目を介して隣り合う２枚のスクリーン片をそれぞれ折り重ねて折りたたむことができる。
【０１０２】
前記スクリーン体は、２行及び少なくとも３列に並んだ６枚以上のスクリーン片からなっており、その一方の行の各スクリーン片と他方の行の各スクリーン片との間のそれぞれの境界部と、前記一方の行の各スクリーン片間の複数つの境界部のうちの１枚置きの境界部と、前記他方の行の各スクリーン片間の複数つの境界部のうち、前記一方の行の前記１枚置きの境界部に対して１スクリーン片分ずれた１枚置きの境界部とにヒンジ部が設けられ、前記一方の行の他の境界部と前記他方の行の他の境界部とに切れ目が設けられているのが望ましく、このようにすることにより、前記複数枚のスクリーン片の反射面が２行及び少なくとも３列に並んだ面積、つまり１枚のスクリーン片の少なくとも６倍以上の面積の画像投影面を形成することができる。
【０１０３】
また、前記スクリーン体は、複数枚のスクリーン片の間のうち、予め定めたスクリーン片間が、ヒンジ部が設けられた第１の境界部、他のスクリーン片間が、その間の離間を許容する切れ目が設けられた第２の境界部からなっており、使用時に、前記複数枚のスクリーン片を面一に並べた状態に広げられ、不使用時に、前記第１の境界部をはさんで隣り合うスクリーン片同士を折り重ね、その両面側に前記第２の境界部をはさんで隣り合う隣り合うスクリーン片を折り重ねて折りたたまれるものであればよく、このようなスクリーン体を備えることにより、大面積の画像投影面を形成することができ、しかも、コンパクトに折りたたんで容易に携帯することができる。
【図面の簡単な説明】
【０１０４】
【図１】この発明の一実施例を示す投影用スクリーンの使用状態の投影面側から見た斜視図。
【図２】前記投影用スクリーンの使用状態の投影面とは反対面側から見た斜視図。
【図３】前記投影用スクリーンの不使用状態の斜視図。
【図４】図１のIV―IV線に沿うハッチングを省略した拡大断面図。
【図５】図１のV―V線に沿うハッチングを省略した拡大断面図。
【図６】図１のVI―VI線に沿うハッチングを省略した拡大断面図。
【図７】図１のVII―VII線に沿うハッチングを省略した拡大断面図。
【図８】図３のVIII―VIII線に沿うハッチングを省略した拡大断面図。
【図９】図３のIX―IX線に沿うハッチングを省略した拡大断面図。
【図１０】スクリーン体の折りたたみ手順を示す模式図。
【図１１】前記投影用スクリーンの使用例を示す図。
【図１２】この発明の他の実施例を示すスクリーン体１の切れ目付近のハッチングを省略した断面図。
【図１３】この発明の他の実施例を示す携帯鞄のスクリーン体支持部のハッチングを省略した断面図。
【符号の説明】
【０１０５】
１…スクリーン体、２ａ〜２ｈ…スクリーン片、３…反射面、４，５…ヒンジ部、４ａ，５ａ…ヒンジテープ、６…切れ目、７…切れ目サポート部材（伸縮性シート）、８…筋交い部材、９…筋交いクランプ部材、１０…スクリーン支え柱（スクリーン体支え部材）、１１…携帯鞄（スクリーン体載置台）、１５…支え柱支持部、１７…補助載置台、２１…切れ目サポート用磁性板、２２…切れ目サポート用磁石。
【図１】
2005106963.tif 000003
【図２】
2005106963.tif 000004
【図３】
2005106963.tif 000005
【図４】
2005106963.tif 000006
【図５】
2005106963.tif 000007
【図６】
2005106963.tif 000008
【図７】
2005106963.tif 000009
【図８】
2005106963.tif 000010
【図９】
2005106963.tif 000011
【図１０】
2005106963.tif 000012
【図１１】
2005106963.tif 000013
【図１２】
2005106963.tif 000014
【図１３】
2005106963.tif 000015